(57)【特許請求の範囲】
【請求項１】
噴霧器本体(1)のノズル口(5)を開口したノズルヘッド(2)の先端部に組付け凹部(6)を形成し、該組付け凹部(6)に、上端部を蝶番結合すると共に下端部を着脱自在に係止させるノズルカバー(12)により、前記ノズル口(5)を開閉する噴霧器において、前記組付け凹部(6)の下壁部分を形成し、閉姿勢の前記ノズルカバー(12)が当接する突き当たり壁片(10)に、液体の流下が自在な切欠き溝(11)を設け、前記噴霧器本体(1)に設けたノズルカバー(12)との係止部である係止孔(9)を、前記組付け凹部(6)を形成する両側壁片(7)内側の、前記突き当たり壁片(10)に近接した箇所に対向形成した噴霧器。
【発明の詳細な説明】
【０００１】
【産業上の利用分野】
本発明は、壜体等の容器に組付けられ、容器に収納された内容液を噴霧注出する噴霧器に関するものである。
【０００２】
【従来の技術】
この種の噴霧器は、洗剤、殺虫剤等の内容液を収納した容器に取付けられた状態のまま取り扱われるものであるため、不必要時に、内容液を噴霧注出するためのレバーを不要に動かしてしまい、噴霧注出された内容液により、周囲を汚したり、人体への付着により炎症等の不都合を生じる危険があった。
【０００３】
この危険を解消する従来技術としては、噴霧器本体のノズル口を開口したノズルヘッドの先端にノズルカバーを蝶番結合またはヒンジ結合し、噴霧器の不使用時には、ノズル口をノズルカバーで閉鎖するものが知られている。
【０００４】
この従来技術の内、噴霧器本体に対してノズルカバーを一体にヒンジ結合するものは、内部にポンプ機能部分とか噴霧される液体の通路部分とかを有することにより、構造が複雑となっている噴霧器本体の構造をさらに複雑にし、かつヒンジの持っている弾性復帰力による姿勢の不安定さを取り去るため、専用の係止手段および係止操作を必要とすると云う極めて不利な条件を持っている。
【０００５】
これに対して、噴霧器本体に対してノズルカバーを蝶番結合するものは、ノズルカバーが単品として成形されるので、噴霧器本体の構造を複雑にする恐れが全くなく、また噴霧器本体とノズルカバーと蝶番結合部分に必然的に発生する摺動抵抗により、噴霧器本体に対するノズルカバーの開閉回動姿勢を任意にかつ好適に支持することができるので、良好な開閉操作を得ることができると云う利点を持っている。
【０００６】
この噴霧器本体に対してノズルカバーを蝶番結合したものは、噴霧器本体のノズルヘッドの先端に設けた組付け凹部にノズルカバーを嵌め込み式に組付け、ノズルカバーの上端部を組付け凹部の上部に蝶番結合し、ノズルカバーの下端部を組付け凹部の下部に係止させ、この係止により組付け凹部内に位置しているノズル口の閉鎖をノズルカバーにより達成維持する構成となっている。
【０００７】
このように、ノズルカバーを噴霧器本体の組付け凹部に嵌め込み式に蝶番結合することにより、ノズルカバーによるノズル口の閉鎖を安定して達成することができると共に、このノズルカバーの閉鎖姿勢をノズルカバーの下端部での係止により達成することにより、ノズルカバーによるノズル口の強力で確実な閉鎖を達成できると云う利点を発揮している。
【０００８】
【発明が解決しようとする課題】
しかしながら、上記した従来技術にあっては、ノズル口が組付け凹部内に引っ込んだ状態で位置しているので、噴霧注出動作中、ノズル口から滴下した内容液の一部が、組付け凹部の下壁部分上に溜まって、この組付け凹部内を汚したり、乾燥固化して、噴霧器本体に対するノズルカバーの係止機能を劣化させて、ノズルカバーによるノズル口の閉鎖を不完全にすると云う問題があった。
【０００９】
また、ノズルカバーの閉鎖姿勢を保持する係止手段は、組付け凹部の下壁部分の一部にノズルカバーの一部が嵌入する欠部を設け、この欠部の側壁面に乗り越えて係止する係止片および係止孔を設けて構成されるのであるが、係止手段の乗り越えは、係止手段の局部的な弾性変形により達成する構成となっているので、係止機能部分の早期の磨耗または永久変位の発生が激しく、短期間の内に係止機能が喪失する場合があると云う問題があった。
【００１０】
そこで、本発明は、上記した従来技術における問題点を解消すべく創案されたもので、噴霧器本体の組付け凹部内に滴下内容液が溜まるのを防止すると共に、係止機能部分に充分な弾力を付与することを技術的課題とし、もってノズルカバーの良好で確実な開閉動作を得ることを目的とする。
【００１１】
【課題を解決するための手段】
上記技術的課題を解決する本発明の手段は、
噴霧器本体のノズル口を開口したノズルヘッドの先端部に組付け凹部を形成し、この組付け凹部に、上端部を蝶番結合すると共に下端部を着脱自在に係止させるノズルカバーにより、噴霧器本体のノズル口を開閉する噴霧器に関するものであること、
噴霧器本体の組付け凹部の下壁部分を形成し、閉姿勢のノズルカバーが当接する突き当たり壁片に、液体の流下が自在な切欠き溝を設けること、
噴霧器本体に設けたノズルカバーとの係止部である係止孔を、噴霧器本体の組付け凹部を形成する両側壁片内側の、突き当たり壁片に近接した箇所に対向形成したこと、
にある。
【００１３】
【作用】
噴霧器本体の組付け凹部の上部に上端部を蝶番結合したノズルカバーは、上方に回動することにより、噴霧器本体のノズル口を開放し、下方に回動して組付け凹部内に嵌まり込んで、下端部を組付け凹部の下部に係止させることにより、ノズル口の閉鎖を達成する。
【００１４】
組付け凹部の下壁部分である突き当たり壁片は、ノズルカバーによるノズル口の閉鎖が達成されたノズルカバーの位置、すなわちノズルカバーの下端部が組付け凹部の下部に係止したノズルカバーの位置で、ノズルカバーに突き当たり、それ以上のノズルカバーの閉鎖方向への回動変位を阻止し、もって必要以上の押圧力がノズルカバーからノズル口に作用して、噴霧機能が劣化することがないようにしている。
【００１５】
このノズルカバーの閉鎖方向への回動限位置を規制する突き当たり壁片には、液体の流下が自在な切欠き溝が形成されているので、噴霧動作中にノズル口から内容液の一部が滴下しても、この滴下した内容液は、この切欠き溝を通って組付け凹部外に流出し、組付け凹部内に溜まることがなく、このため組付け凹部内に溜まった内容液による汚れの発生とか、組付け凹部内に溜まった内容液の乾燥固化により、ノズルカバーの閉鎖姿勢を保持する係止機能が劣化すると云う不都合の発生は皆無となる。
【００１６】
また、切欠き溝は、組付け凹部の下壁部分を構成する突き当たり壁片に、この突き当たり壁片の一部を切り欠いて割り溝状に形成されているので、組付け凹部を形成している筒状部分が、この切欠き溝で開放された状態となり、これにより組付け凹部を形成している壁部分の下部分、すなわち両側壁片の下端部は、切欠き溝の溝幅を増減させる方向に弾性変形し易い状態となる。
【００１７】
それゆえ、突き当たり壁片に近接した両側壁片下端部の内側箇所に、係止部である係止孔を対向形成することにより、噴霧器本体側の係止部とノズルカバー側の係止部とが係止する際に、噴霧器本体側の係止部を形成している両側壁片の下端部が適正に弾性変形し、両係止部の係止および係止解除を無理なく達成させることになる。
【００１８】
【実施例】
以下、本発明の一実施例を、図面を参照しながら説明する。
図１は、本発明の一実施例を容器２０に組付けた状態を示すもので、噴霧器本体１の先端に設けたノズルヘッド２にノズルカバー１２を蝶番結合して構成されており、取付けキャップ１９により容器２０の口部に螺合組付けされている。
【００１９】
容器２０に収納した内容液の噴霧は、レバー１８の操作により、噴霧器本体１に内蔵したポンプを作動させて、容器２０内から吸い上げた内容液をノズル口５に圧送し、このノズル口５から勢い良く噴出させることにより、霧化させて噴射する。
【００２０】
（以下、図２参照）ノズル口５は、ノズルヘッド２に一体成形されたノズル３の通路内に嵌め込み組付けされたノズル片４に形成されており、このノズル３が位置するノズルヘッド２の先端部には、上方および前方に開放した組付け凹部６が形成され、この組付け凹部６により、ノズル３の両側には、ノズル３よりも前方に突出した側壁片７が形成されている。
【００２１】
ノズル３よりも上位に位置する両側壁片７の上端部内側には、相互に対向して軸孔８が開設され、またノズル３よりも下位に位置する両側壁片７の下端部内側には、相互に対向して係止孔９が開設されている。
【００２２】
ノズル３は円筒形状（図３参照）をしており、また組付け凹部６の下部には、ノズルカバー１２の閉鎖限位置を規制する突き当たり壁片１０が設けられ、さらにノズルヘッド２の先端部下面は、ノズルカバー１２の一部が下方に突出するように切欠いた形状となっている。
【００２３】
ノズルカバー１２は、組付け凹部６に嵌入する平板状の本体板１３の上端部両側面に、軸孔８に嵌合して蝶番結合する軸片を突設すると共に、本体板１３の下端部両側面に係止孔９に係止する係止片１６を突設し、本体板１３の後面中央部分に、保護筒片１５とシール片１４とを突設して構成されている。
【００２４】
係止片１６は、本体板１３の幅狭となって下方に延出した指掛け片１７部分に設けられており、この指掛け片１７の下端部は、ノズルヘッド２の下方に突出して、指先の引っ掛かりが容易となっている。
【００２５】
突き当たり壁片１０には、この突き当たり壁片１０の全高さ範囲にわたって、および突き当たり壁片１０の半分以上の幅範囲にわたって切欠き溝１１が割り溝状に設けられており、この切欠き溝１１により、組付け凹部６は下方に開放された状態となっている。
【００２６】
シール片１４は、係止片１６が係止孔９に係合する直前でノズル口５周囲のノズル片４の前面に当接する突出高さに成形されており、これにより係止片１６が係止孔９に係止した閉鎖状態では、このシール片１４がノズル片４前面に比較的強い力で押圧されるようにし、もってシール片１４によるノズル口５の密閉を確実にしており、保護筒片１５は、シール片１４のノズル片４前面への密接を正確に達成するため、ノズル３に外嵌してシール片１４のノズル片４への当接をガイドする。
【００２７】
係止孔９は、切欠き溝１１を設けた突き当たり壁片１０に近接した両側壁片７内側箇所に設けられているので、両側壁片７の比較的弾性変形し易い部分に位置することになり、係止片１６との係止動作時に適当に弾性変位することになる。
【００２８】
【発明の効果】
本発明は、上記した構成となっているので、以下に示す効果を奏する。
切欠き溝を設けることにより、ノズル口を内部に位置させた組付け凹部を下方に開放することになり、これにより噴霧中にノズル口から滴下した内容液の一部を、切欠き溝を通して組付け凹部外に流下させ、組付け凹部内に溜めることがなく、滴下内容液が組付け凹部内に溜まって、組付け凹部内を汚すとか、組付け凹部内下部に溜まった内容液が乾燥固化して、ノズルカバーによるノズル口の閉鎖機能が低下するのを防止することができ、もって噴霧器を衛生的にかつ良好に使用することができる。
【００２９】
切欠き溝を形成することにより、噴霧器本体に形成された係止部が形成される両側壁片部分の弾性変形をし易くすることができ、これにより噴霧器本体とノズルカバーとの係止の着脱動作が無理なく円滑に達成でき、もって噴霧器本体に対するノズルカバーの係止操作を安全にかつ良好に達成できる。
【図面の簡単な説明】
【図１】本発明の一実施例を容器に組付けた状態を示す全体側面図。
【図２】図１に示した実施例の噴霧器本体の要部を縦断破断した拡大縦断側面図。
【図３】図１に示した実施例のノズルヘッド前面部分を示す要部拡大正面図。
【符号の説明】
１  ；  噴霧器本体
２  ；  ノズルヘッド
３  ；  ノズル
４  ；  ノズル片
５  ；  ノズル口
６  ；  組付け凹部
７  ；  側壁片
８  ；  軸孔
９  ；  係止孔
１０；  突き当たり壁片
１１；  切欠き溝
１２；  ノズルカバー
１３；  本体板
１４；  シール片
１５；  保護筒片
１６；  係止片
１７；  指掛け片
１８；  レバー
１９；  取付けキャップ
２０；  容器
【図１】
0003543142.tif 000002
【図２】
0003543142.tif 000003
【図３】
0003543142.tif 000004